(57)【要約】【課題】エレベーターの乗り場の床面に凹部を形成することなく、乗り場ドアの開放によって形成された開口部に設置できるようにする。【解決手段】本発明は、エレベーターの乗り場に設けられた乗り場ドアを開くことにより形成された開口部に設けられたエレベーターの安全柵であって、開口部に対向して立設されており、開口部方向への進入を注意喚起する折りたたみが可能な立設体、例えば空気袋１と、空気袋１を支持する高さ寸法が変更可能な支柱３，４を含む支持部材と、支持部材を構成する支柱３，４の下端が係止されており、折りたたまれた空気袋１、及び高さ寸法を小さくした支柱３，４を収納可能な形状寸法に設定された箱部２と、空気袋１を乗り場に設けられた三方枠の上方部に係止させる係止部材、例えば箱部２の蓋８とを備えている。【選択図】図１
2018047998.tif 000002
【特許請求の範囲】
【請求項１】
エレベーターの乗り場に設けられた乗り場ドアを開くことにより形成された開口部に設けられたエレベーターの安全柵であって、
前記開口部に対向して立設されており、開口部方向への進入を注意喚起する折りたたみ、または巻き取りが可能な立設体と、
前記立設体を支持する高さ寸法が変更可能な支持部材と、
前記支持部材の下端が係止されており、折りたたまれた、または巻き取られた前記立設体、及び高さ寸法を小さくした前記支持部材を収納可能な形状寸法に設定された箱部と、
前記立設体または前記支持部材を、前記乗り場に設けられた三方枠に係止させる係止部材とを備えたことを特徴とするエレベーターの安全柵。
【請求項２】
請求項１に記載のエレベーターの安全柵であって、
前記係止部材は、前記箱部の蓋から成ることを特徴とするエレベーターの安全柵。
【請求項３】
請求項２に記載のエレベーターの安全柵であって、
前記支持部材は、
下端のそれぞれが前記箱部の底部に係止された一対の支柱と、
一対の前記支柱にそれぞれ取り付けられて、前記支柱の倒れを防ぐ足部材と、
一対の前記支柱の配設形態を保持する保持部材とを含むことを特徴とするエレベーターの安全柵。
【請求項４】
請求項３に記載のエレベーターの安全柵であって、
一対の前記支柱の間隔は、前記開口部の幅寸法よりも小さく設定されており、
前記立設体の幅寸法は、前記開口部の幅寸法よりも大きく設定されており、
前記箱部の長さ寸法は、前記立設体の幅寸法よりも大きく設定されていることを特徴とするエレベーターの安全柵。
【発明の詳細な説明】
【技術分野】
【０００１】
本発明は、乗り場に設けられた乗り場ドアを開くことにより形成された開口部に設けられたエレベーターの安全柵に関する。
【背景技術】
【０００２】
エレベーターの保守点検作業または設置作業に際し、乗り場に設けられた乗り場ドアを開いて開口部を形成した状態で作業を行うことがある。したがって、このような作業時には、作業者以外の者の開口部方向への進入を注意喚起することが必要になる。
【０００３】
本発明とは対象が異なるが、エスカレーターの乗降口の床面マンホールの開口部を囲うように配置された安全柵が特許文献１に開示されている。この従来技術は、空気袋、及び空気袋を支持する複数本のポールを備え、空気袋の下端及び複数本のポールのそれぞれの下端を床面マンホールに形成された凹部に挿入することによって、安全柵を構成する空気袋及びポールを固定する構成にしてある。
【先行技術文献】
【特許文献】
【０００４】
【特許文献１】特開平７−２０６３６２号公報
【発明の概要】
【発明が解決しようとする課題】
【０００５】
前述した特許文献１に開示されたエスカレーターの安全柵を、エレベーターの乗り場に形成された開口部の安全柵として適用することを考えた場合、エレベーターの乗り場の床面には凹部が形成されていないことから、また、乗り場の床面に凹部を形成すると乗りかごに乗降する乗客の足等が凹部に引っ掛かる虞があることなどから、基本的に適用が困難となる。このような状況から、エレベーターの乗り場に形成された開口部に好適な安全柵の実現が従来から要望されていた。
【０００６】
上記課題を解決するために、本発明の目的は、エレベーターの乗り場の床面に凹部を形成することなく、乗り場ドアの開放によって形成された開口部に設置することができるエレベーターの安全柵を提供することにある。
【課題を解決するための手段】
【０００７】
上記課題を解決するために、本発明に係るエレベーターの安全柵は、エレベーターの乗り場に設けられた乗り場ドアを開くことにより形成された開口部に設けられたエレベーターの安全柵であって、前記開口部に対向して立設されており、開口部方向への進入を注意喚起する折りたたみ、または巻き取りが可能な立設体と、前記立設体を支持する高さ寸法が変更可能な支持部材と、前記支持部材の下端が係止されており、折りたたまれた、または巻き取られた前記立設体、及び高さ寸法を小さくした前記支持部材を収納可能な形状寸法に設定された箱部と、前記立設体または前記支持部材を、前記乗り場に設けられた三方枠に係止させる係止部材とを備えたことを特徴としている。
【発明の効果】
【０００８】
本発明に係るエレベーターの安全柵は、設置が容易であり、また持ち運びが簡単で実用性に優れた安全柵を実現できる。前述した以外の課題、構成及び効果は、以下の実施形態の説明により明らかにされる。
【図面の簡単な説明】
【０００９】
【図１】本発明に係るエレベーターの安全柵の一実施形態を示す透視斜視図である。
【図２】本実施形態の側面図である。
【図３】本実施形態に備えられた足部材を示す透視斜視図である。
【図４】本実施形態に備えられた蓋を示す斜視図である。
【図５】本実施形態に備えられた一対の支柱の間隔、開口部の幅寸法、空気袋の幅寸法、及び箱部の長さ寸法の大小関係を示す図である。
【図６】本実施形態に備えられた箱部に収納される空気袋、一対の支柱及び一対の足部材、及び３本の保持部材を示す分解斜視図である。
【図７】本実施形態に備えられた箱部と蓋とを示す図で、（ａ）図は箱部内に空気袋、一対の支柱及び一対の足部材を収納した状態を示す透視斜視図、（ｂ）図は箱部の上部を蓋で閉じた状態を示す斜視図である。
【図８】本実施形態を乗り場に形成された開口部に設置する際の手順を説明する透視斜視図である。
【発明を実施するための形態】
【００１０】
以下、本発明に係るエレベーターの安全柵の実施の形態を図面に基づいて説明する。
【００１１】
本実施形態は、エレベーターの各階の乗り場に設けられた乗り場ドアを開くことにより形成された開口部に設けられたエレベーターの安全柵である。
【００１２】
図１及び図２に示すように、本実施形態は、乗り場に形成された開口部に対向して立設されており、開口部方向への進入を注意喚起する折りたたみ、または巻き取りが可能な立設体、例えばポンプやボンベから供給された圧縮空気によって膨らみ、上下方向に立設する折りたたみが可能な空気袋１を備えている。
【００１３】
この空気袋１は、例えば気密性を有する布材によって形成されており、立設状態では直方体を形成する。空気袋１の内部の空気が抜かれると、図６に示すように折りたたみが可能となる。同図６に示すように、空気袋１の側部には圧縮空気が注入される注入口１ａが形成されている。
【００１４】
また、本実施形態は、立設体を形成する空気袋１を支持する高さ寸法が変更可能な支持部材を備えている。図１等に示すように、支持部材は、一対の支柱３，４と、これらの支柱３，４にそれぞれ取り付けられて、支柱３，４の倒れを防ぐ足部材５，６と、一対の支柱３，４の立設した配置形態を保持する例えば横棒から成る保持部材７ａ，７ｂ，７ｃとを含んでいる。支柱３，４、足部材５，６、及び保持部材７ａ，７ｂ，７ｃは、アルミまたは強化プラスチックから成る軽量部材で構成されている。
【００１５】
支柱３，４は、伸縮部材から成っている。支柱３は、最下方部材である円筒部材３ａと、円筒部材３ａの径寸法よりも小さな径寸法に設定されており、円筒部材３ａの内部に収納可能であって、円筒部材３ａから引き出された所定の高さ位置で係止される中間部材である円筒部材３ｂと、円筒部材３ｂの径寸法よりも小さな径寸法に設定されており、円筒部材３ｂの内部に収納可能であって、円筒部材３ｂから引き出された所定の高さ位置で係止される最上方部材である円筒部材３ｃとによって構成されている。支柱４も支柱３と同様の構成であり、最下方部材である円筒部材４ａと、中間部材である円筒部材４ｂと、最上方部材である円筒部材４ｃとによって構成されている。支柱３，４と空気袋１の上端部とは、例えば粘着テープで接続されている。
【００１６】
足部材５は、図３に示す支柱３の最下方部材である円筒部材３ａに矢印１０で示すように円筒部材３ａの長手方向に沿って摺動可能に、また矢印１１に示すように円筒部材３ａの周方向に回動可能に設けられ、所定の摺動位置及び所定の回動位置で円筒部材３ａに係止される取り付け部５ａと、この取り付け部５ａに同図３の矢印１２で例示するように、上下方向の回動可能に取り付けられ脚部５ｂとを備えている。この足部材５は同図６に示すように、円筒部材３ａから例えば離脱可能に設けられている。他方の足部材６も足部材５と同様の構成となっており、取り付け部６ａと脚部６ｂとを備えている。
【００１７】
横棒から成る保持部材７ａ，７ｂ，７ｃは、支柱３，４に直交するように、下段に保持部材７ａを、中断に保持部材７ｂを、上段に保持部材７ｃを取り付けてある。保持部材７ａ，７ｂ，７ｃと、支柱３，４とは例えばクリップ等の金具で固定されている。
【００１８】
また、本実施形態は、支持部材を構成する支柱３，４の下端が挿入されており、図６に示すように、折りたたまれた立設体を構成する空気袋１、及び収縮させて高さ寸法を小さくした支柱３，４を収納可能な形状寸法に設定された箱部２を備えている。この箱部２の側部には、空気袋１の注入口１ａに対向するように、圧縮空気の導入用の穴部２ａが形成されている。空気袋１の下端は例えば両面テープで箱部２の底部に接着されている。また、支持部材を構成する支柱３の円筒部材３ａの下端、及び支柱４の円筒部材４ａの下端は箱部２の底部に係止されている。
【００１９】
また、本実施形態は、空気袋１または支持部材を構成する支柱３，４を、例えば空気袋１を、乗り場に設けられた三方枠の例えば上方部に係止させる係止部材を備えている。この係止部材は、例えば図２，４等にも示す箱部２の蓋８から成っている。
【００２０】
図４に示す蓋８は、ベース部８ａと、このベース部８ａに対して矢印１３に示すように摺動可能な可動部８ｂとによって構成されている。蓋８のベース部８ａと空気袋１の上端とは例えば粘着テープで固定されている。立設させた空気袋１の高さ寸法と、蓋８の形状寸法は、立設させた空気袋１に接続させた上下が逆の蓋８が三方枠の上方部に係止されることが可能な寸法に予め設定されている。
【００２１】
図６の矢印１４で示すように、また図７の（ａ）に示すように、折りたたまれた空気袋１、収縮させた支柱３，４、これらの支柱３，４から離脱させた足部材５，６、及び３本の保持部材７ａ，７ｂ，７ｃは、箱部２の内部に収納されるようになっている。また、図７の（ｂ）に示すように、空気袋１、支柱３，４、足部材５，６、及び保持部材７ａ，７ｂ，７ｃが収納された状態で蓋８によって箱部２が閉じられるようになっている。
【００２２】
図５に示すように、一対の支柱３，４の間隔は、乗り場に形成された開口部の幅寸法よりも小さく設定されており、立設体である空気袋１の幅寸法は開口部の幅寸法よりも大きく設定されており、箱部２の長さ寸法は空気袋１の幅寸法よりも大きく設定されている。
【００２３】
次に、本実施形態を乗り場ドアを開くことによって形成された開口部に設置する手順を図８に基づいて説明する。
【００２４】
空気袋１、支柱３，４、足部材５，６、及び保持部材７ａ，７ｂ，７ｃが収納され、蓋８によって閉じられた箱部２は、所定の階床の乗り場に形成された開口部の近くまで運ばれる。そこで箱部２の長手方向が開口部の幅方向に沿うように箱部２が開口部の前側に配置される。
【００２５】
ここで例えば、空気袋１の下端は両面テープで箱部２の底部に接着され、支柱３，４の円筒部材３ａ，４ａは所定の間隔で箱部２の底部に立設され、足部材５，６のそれぞれの取り付け部５ａ，６ａは支柱３，４の円筒部材３ａ，４ａに取り付けられ、脚部５ｂ，６ｂは箱部２の外側に張り出される。また、支柱３，４の円筒部材３ｃ，４ｃのそれぞれは空気袋１の上端に粘着テープで接着される。また、空気袋１の上端と上下を逆にした形の蓋８のベース部８ａは粘着テープで固定される。
【００２６】
この状態で、箱部２の穴部２ａ及び空気袋１の注入口１ａから圧縮空気が空気袋１に注入される。これによって空気袋１は膨らんで同図８の矢印１５に示すように立ち上がり、これと連動して支柱３が矢印１６に示すように、支柱４が矢印１７に示すように伸長する。また、空気袋１の立ち上がりに伴って蓋８が上昇する。足部材５の脚部５ｂの下端、及び足部材６の脚部６ｂの下端は、乗り場の床面に接地させた状態とする。
【００２７】
空気袋１が完全に立ち上って立設体を形成し、支柱３，４が完全に伸長した状態では、蓋８が三方枠の上方部に対向する。このとき、三方枠の上方部の幅寸法に応じて可動部８ｂを図４の矢印１３に示すように適宜摺動させることにより、蓋８を三方枠の上方部の幅寸法に合わせて係止させることができる。
【００２８】
上述した支柱３，４の形態を保持するために、横棒から成る保持部材７ａが下段に、保持部材７ｂが中断に、保持部材７ｃが上段に、それぞれクリップで支柱３，４に固定される。
【００２９】
このように開口部に対向するように空気袋１を設置した本実施形態によって、開口部が例えば覆われて、作業者以外の者の開口部方向への進入が注意喚起される。この状態でエレベーターの保守点検作業あるいは設置作業を安全に行うことができる。
【００３０】
開口部を開いた状態での保守点検作業あるいは設置作業が終了し、本実施形態に係る安全柵を撤収する際は、例えば前述の逆の手順で各部材の取り外し、取り外した部材の箱部２への収納が行われる。
【００３１】
すなわち、保持部材７ａ，７ｂ，７ｃが支柱３，４から取り外され、この状態で空気袋１の内部の空気が抜かれる。これにより、空気袋１および支柱３，４が収縮する。例えば空気袋１及び支柱３，４が最も収縮した状態で、蓋８が空気袋１から取り外される。また、支柱３，４が空気袋１から取り外され、足部材５，６が支柱３，４から外される。
【００３２】
この状態で、箱部２内において収縮し折りたたまれた空気袋１と共に、図７の（ａ）に示すように、箱部２の内部に支柱３，４、足部材５，６、及び保持部材７ａ，７ｂ，７ｃが収納され、図７に示すように箱部２が蓋８で閉じられる。この状態で例えば、別の階床の乗り場の開口部における次の作業のために箱部２を運搬することが行われる。
【００３３】
以上のように構成した本実施形態は、エレベーターの乗り場の床面に凹部を形成することなく、乗り場ドアの開放によって形成された開口部に設置することができる。すなわち、本実施形態は設置が容易であり、また、持ち運びが簡単で実用性に優れた安全柵を実現できる。
【００３４】
なお、足部材５，６のそれぞれの脚部５ｂ，６ｂの下端に乗り場の床面に対する滑りを阻止する滑り止め部材を設ける構成にしてもよい。
【００３５】
また、前述した実施形態では、立設体を圧縮空気が注入された空気袋１によって構成したが、本発明は、このように構成することには限定されない。立設体を、巻き取ることによって箱部２への収納が可能となる「よしず」「一枚の布」「ビニールシート」「厚紙」等によって構成するようにしてもよい。
【００３６】
また、立設体の表面の例えば作業者以外の者の目線高さ位置等に、開口部が存在する旨を注意喚起する文言などを表示した構成にしてもよい。
【００３７】
また、前述した実施形態は、支柱３，４を伸縮可能な円筒部材３ａ，３ｂ，３ｃ、及び円筒部材４ａ，４ｂ，４ｃによって構成してあるが、本発明は、このように構成することには限られない。例えば支柱３，４をそれぞれ同径の３本の円筒部材を連結した構成にしてもよい。
【００３８】
また、前述した実施形態は、横棒から成る３本の保持部材７ａ，７ｂ，７ｃを設けた構成にしてあるが、横棒から成る保持部材を単に１本、あるいは２本、あるいは４本以上設けた構成にしてもよい。また保持部材を、斜めに伸設されて支柱３，４の形態を保持する部材によって構成してもよい。
【００３９】
また、前述した実施形態は、蓋８を三方枠の上方部に係止させた構成にしてあるが、空気袋１等の立設体の側部を、あるいは支柱３，４を、三方枠の側部にクリップ等によって係止させる構成にしてもよい。
【００４０】
なお、各部の構成は図示の実施形態に限定されるものではなく、本発明の主旨を逸脱しない範囲で種々の変更が可能である。
【符号の説明】
【００４１】
１・・空気袋（立設体）、１ａ・・注入口、２・・箱部、２ａ・・穴部、３・・支柱、３ａ〜３ｃ・・円筒部材、４・・支柱、４ａ〜４ｃ・・円筒部材、５・・足部材、５ａ・・取り付け部、５ｂ・・脚部、６・・足部材、６ａ・・取り付け部、６ｂ・・脚部、７ａ〜７ｃ・・保持部材、８・・蓋（係止部材）、８ａ・・ベース部、８ｂ・・可動部
【図１】
2018047998.tif 000003
【図２】
2018047998.tif 000004
【図３】
2018047998.tif 000005
【図４】
2018047998.tif 000006
【図５】
2018047998.tif 000007
【図６】
2018047998.tif 000008
【図７】
2018047998.tif 000009
【図８】
2018047998.tif 000010